(57)【要約】【課題】  感光性記録媒体の画像記録領域に鮮明な画像を適切に形成可能な画像形成装置を提供する。【解決手段】  画像形成装置Ｘのプリントヘッド２には、レンズ２２ａに対して副走査方向ＣＤにオフセットされ、かつレンズ２２ａよりも感光性記録媒体４寄りに突出して感光性記録媒体４に当接する突起２３ａが設けられている。【選択図】  図４
2004276607.tif 000002
【特許請求の範囲】
【請求項１】
感光性記録媒体を収容し、かつ上記感光性記録媒体を露光させるための開口を有するケースと、
集光用のレンズを有し、かつ上記感光性記録媒体に向けて光を照射するためのプリントヘッドと、を備えており、
上記プリントヘッドは、上記ケースに相対して副走査方向に移動可能とされている画像形成装置であって、
上記プリントヘッドには、上記レンズに対して副走査方向にオフセットされ、かつ上記レンズよりも上記感光性記録媒体寄りに突出して上記感光性記録媒体に当接する突起が設けられていることを特徴とする、画像形成装置。
【請求項２】
上記ケースは、副走査方向において上記感光性記録媒体の両側方に位置する一対の側壁を有しており、かつ上記一対の側壁の一方には、上記感光性記録媒体を外部に排出させるための排出口が形成されており、
上記突起は、上記レンズを挟んで上記排出口とは反対の位置に配されている、請求項１に記載の画像形成装置。
【請求項３】
上記感光性記録媒体は、その内部に存在する空気を排出するための空気抜き部を有し、
上記突起は、上記空気抜き部との干渉を回避するための切欠き部を有する、請求項１または２に記載の画像形成装置。
【請求項４】
上記突起の主走査方向における寸法は、上記ケースの上記開口の主走査方向における寸法よりも小さく、かつ上記感光性記録媒体の画像記録領域の主走査方向における寸法以上である、請求項１から３のいずれかに記載の画像形成装置。
【請求項５】
上記レンズと上記突起とは、副走査方向において互いに隣接している、請求項１から４のいずれかに記載の画像形成装置。
【請求項６】
上記レンズを支持するための支持部材を備えており、
上記突起は、上記支持部材と一体に形成されている、請求項１から５のいずれかに記載の画像形成装置。
【請求項７】
上記レンズが嵌入されるスリットおよびこのスリットに繋がった凹部を有する支持部材と、この支持部材とは別体の補助部材とを備えており、
上記補助部材の一部が上記凹部に嵌入していることにより、上記補助部材の他の一部が上記突起として構成されている、請求項１から６のいずれかに記載の画像形成装置。
【請求項８】
上記レンズを囲んで支持し、かつ上記スリットに嵌入されたレンズホルダを備えており、
上記補助部材は、上記レンズホルダに当接している、請求項７に記載の画像形成装置。
【請求項９】
上記レンズの光出射面を覆う透明部材を備えており、
上記突起は、上記透明部材に設けられている、請求項１から６のいずれかに記載の画像形成装置。
【請求項１０】
上記レンズを囲んで支持し、かつ上記スリットに嵌入されたレンズホルダを備えており、
上記透明部材は、上記レンズホルダに当接している、請求項９に記載の画像形成装置。
【発明の詳細な説明】
【技術分野】
【０００１】
本発明は、感光性記録媒体に露光を行うことにより画像を形成する画像形成装置に関する。
【背景技術】
【０００２】
従来の画像形成装置の一例としては、特許文献１に記載されているものがある。この特許文献１に記載の画像形成装置は、イメージセンサモジュールと、感光フィルムを収容するためのケースと、プリントヘッドとを備えている。上記イメージセンサモジュールは、被写体を撮影するためのものである。上記ケースは、上記感光フィルムを露光させるための開口を有している。上記プリントヘッドは、集光用レンズを有しており、上記イメージセンサモジュールが撮影した被写体の画像データに基づき、当該集光用レンズを介して上記感光フィルムの画像記録領域に光を照射するためのものである。このような構成によると、被写体の潜像が上記感光フィルムの上記画像記録領域に形成される。
【０００３】
しかしながら、上記画像形成装置において、上記感光フィルムは、その厚みが薄く、軟質であるため、うねりが生じる場合がある。このようなうねりが生じると、上記感光フィルムと上記集光用レンズとの間隔は一定にならない。すると、上記集光用レンズの焦点が上記感光フィルム上に合わなくなり、上記感光フィルムに鮮明な画像を形成することが困難となる。
【０００４】
また、この種の画像形成装置においては、感光フィルムの画像記録領域の全域にわたって画像をプリントできるようにすることが望ましい。したがって、画像形成装置の製造にあたっては、このような点にも配慮する必要がある。
【０００５】
【特許文献１】特開２００１−１１１８７６号公報
【発明の開示】
【発明が解決しようとする課題】
【０００６】
本発明は、このような事情のもとで考え出されたものであって、感光性記録媒体のうねりに起因して画像の質が低下することを抑制し、感光性記録媒体に鮮明な画像を適切に形成可能な画像形成装置を提供することを課題とする。
【課題を解決するための手段】
【０００７】
本発明により提供される画像形成装置は、感光性記録媒体を収容し、かつ上記感光性記録媒体を露光させるための開口を有するケースと、集光用のレンズを有し、かつ上記感光性記録媒体に向けて光を照射するためのプリントヘッドとを備えており、上記プリントヘッドは、上記ケースに相対して副走査方向に移動可能とされているものであって、上記プリントヘッドには、上記レンズに対して副走査方向にオフセットされ、かつ上記レンズよりも上記感光性記録媒体寄りに突出して上記感光性記録媒体に当接する突起が設けられていることを特徴としている。
【０００８】
このような構成によると、露光時におけるプリントヘッドの移動が突起と感光性記録媒体とを接触させた状態で行われる。そのため、感光性記録媒体にうねりが生じている場合においても、そのうねりを矯正して感光性記録媒体と集光用レンズとの間隔を一定に保つことができる。したがって、本発明に係る画像形成装置は、感光性記録媒体上に集光用レンズの焦点を適切に合わせることができ、鮮明な画像を形成することが可能となる。
【０００９】
好ましくは、上記ケースは、副走査方向において上記感光性記録媒体の両側方に位置する一対の側壁を有しており、かつ上記一対の側壁の一方には、上記感光性記録媒体を外部に排出させるための排出口が形成されており、上記突起は、上記レンズを挟んで上記排出口とは反対の位置に配されている。
【００１０】
このような構成によると、プリントヘッドが副走査方向における排出口が形成されていない側壁側（以下、「第１方向」と称する）に移動し、突起がケースの開口周縁部に当接すると、集光用レンズを第１方向にそれ以上移動させることができない。しかし、突起の幅は、小さくすることが可能であり、このことにより集光用レンズを上記開口周縁部に接近させて、感光性記録媒体の第１方向側のより広範囲に露光を行うことが可能となる。また、感光性記録媒体は、排出口が形成されていない側壁に当接することにより第１方向寄りに一定量以上位置ずれすることはないため、この感光性記録媒体の第１方向寄りへの位置ずれに起因して感光性記録媒体への露光が困難となることはない。
【００１１】
プリントヘッドが副走査方向における排出口が形成されている側壁側（以下、「第２方向」と称する）に移動したときには、ケースの開口周縁部に突起を当接させることなく、集光用レンズを開口周縁部に接近させることができる。したがって、本発明に係る画像形成装置は、感光性記録媒体が第２方向に比較的大きく位置ずれする場合においても、感光性記録媒体の第２方向側のより広範囲に露光を行うことが可能となる。
【００１２】
好ましくは、上記感光性記録媒体は、その内部に存在する空気を排出するための空気抜き部を有しており、上記突起は、上記空気抜き部との干渉を回避するための切欠き部を有している。このような構成によると、突起と空気抜き部とが干渉することに起因して、プリントヘッドの副走査方向の移動が制限されることはない。したがって、本発明に係る画像形成装置においては、突起と空気抜き部とが干渉することに起因して感光性記録媒体への露光が困難となることはない。
【００１３】
好ましくは、上記突起の主走査方向における寸法は、上記ケースの上記開口の主走査方向における寸法よりも小さく、かつ上記感光性記録媒体の画像記録領域の主走査方向における寸法以上である。このような構成によると、画像記録領域の全域にわたって生じたうねりを矯正することが可能となり、当該全域にわたって鮮明な画像を適切に形成することが可能となる。
【００１４】
好ましくは、上記レンズと上記突起とは、副走査方向において互いに隣接している。このような構成によると、感光性記録媒体に対する露光は、突起により感光性記録媒体のうねりが矯正された直後に行うことが可能となる。したがって、本発明に係る画像形成装置は、感光性記録媒体の画像記録領域に集光用レンズの焦点をより正確に合わせることが可能となる。
【００１５】
好ましくは、上記レンズを支持するための支持部材を備えており、上記突起は、上記支持部材と一体に形成されている。このような構成によると、支持部材とは別の部材に突起を形成するものと比べて、部品点数が少なくてすむ。
【００１６】
好ましくは、上記レンズが嵌入されるスリットおよびこのスリットに繋がった凹部を有する支持部材と、この支持部材とは別体の補助部材とを備えており、上記補助部材の一部が上記凹部に嵌入していることにより、上記補助部材の他の一部が上記突起として構成されている。より好ましくは、上記レンズを囲んで支持し、かつ上記スリットに嵌入されたレンズホルダを備えており、上記補助部材は、上記レンズホルダに当接している。このような構成によると、一部が突起として構成される補助部材により集光用レンズを支持部材に対して位置決め固定することが可能となる。したがって、集光用レンズを固定させるための手段として、補助部材とは別の専用部材を用いる必要がない。
【００１７】
好ましくは、本発明に係る画像形成装置は、上記レンズの光出射面を覆う透明部材を備えており、上記突起は、上記透明部材に設けられている。このような構成によると、集光用レンズを保護することが可能となる。
【００１８】
好ましくは、上記レンズを囲んで支持し、かつ上記スリットに嵌入されたレンズホルダを備えており、上記透明部材は、上記レンズホルダに当接している。このような構成によると、上述した補助部材の場合と同様に、集光用レンズの位置決め固定を合理的に図ることが可能となる。
【００１９】
本発明のその他の特徴および利点については、以下に行う発明の実施の形態の説明から、より明らかになるであろう。
【発明を実施するための最良の形態】
【００２０】
以下、本発明の好ましい実施の形態について、図面を参照しつつ具体的に説明する。
【００２１】
図１は、本発明に係る画像形成装置の一実施形態を示している。本実施形態の画像形成装置Ｘは、ケース１と、プリントヘッド２と、筐体３とを備えている。
【００２２】
ケース１は、遮光性を備えた合成樹脂製であり、図２に示すように、その内部に複数の積層された感光フィルム４と、板バネ部材５とを収容している。ケース１の上面部１１には、一対の開口１２が設けられている。ケース１の下面部１３には、最下層の感光フィルム４を露光させるための開口１４が設けられている。ケース１は、副走査方向ＣＤに間を隔て、かつ主走査方向ＡＢに延びる一対の側壁１５，１６を有している。側壁１５には、感光フィルム４を排出するための排出口１７が設けられている。この排出口１７は、ケース１の内部への埃などの侵入を防止するためのカーテン１８により覆われている。側壁１６には、切欠き１９が設けられている。
【００２３】
感光フィルム４は、略矩形のシート状であり、図３に示すように、感光層４１と、２枚の透明カバー４２，４３と、マスクシート４４と、現像液パック４５と、トラップ材４６と、空気抜き部４７とを備えている。感光層４１は、２枚の透明カバー４２，４３間に挟まれている。マスクシート４４は、副走査方向ＣＤの中間部が透明カバー４２上に積層されており、副走査方向ＣＤの両端部４４ａ，４４ｂが折り返されて透明カバー４３に接着されている。また、マスクシート４４の上記中間部には、開口４４ｃが設けられており、感光層４１のうち、開口４４ｃに面する部分が画像記録領域４１ａである。この画像記録領域４１ａは、その全域に対して露光を行うことができるように、ケース１の開口１４（図２参照）よりも小さいサイズに形成されている。現像液パック４５は、感光フィルム４の副走査方向ＣＤの一端部４ａに設けられており、マスクシート４４の一端部４４ａにより包み込まれている。トラップ材４６は、感光フィルム４の副走査方向ＣＤの他端部４ｂに設けられており、マスクシート４４の他端部４４ｂにより包み込まれた細長棒状部材である。空気抜き部４７は、感光層４１と透明カバー４３との間に存在し得る空気を排出するためのものであり、マスクシート４４の他端部４４ｂに設けられている。この空気抜き部４７は、たとえばマスクシート４４の他端部４４ｂにおける主走査方向の中心部を透明カバー４３に接着しないことにより形成される。
【００２４】
板バネ部材５は、図２に示すように、複数の積層された感光フィルム４を下向きに押圧するためのものであり、最上層の感光フィルム４とケース１の上面部１１との間に配されている。
【００２５】
プリントヘッド２は、図４Ａに示すように、発光部２１と、ロッドレンズアレイ２２と、補助部材２３と、フレーム２４と、シャッタ部２５とを備えており、感光フィルム４の下方に位置している。
【００２６】
フレーム２４は、発光部２１と、ロッドレンズアレイ２２と、補助部材２３と、シャッタ部２５とを支持するためのものであり、ロッドレンズアレイ２２が嵌入されるスリット２４ａと、このスリット２４ａに繋がった凹部２４ｂと、ロッドレンズアレイ２２の下端を支持するための段部２４ｃとを有している。このフレーム２４は、モータを含む駆動機構（図示せず）により副走査方向ＣＤに往復動可能である。
【００２７】
発光部２１は、たとえば赤色発光体、緑色発光体、および青色発光体を有しており、カラー画像の形成を行うための露光が可能である。これらの発光体としては、たとえば発光ダイオードや、有機ＥＬ発光素子が挙げられる。
【００２８】
ロッドレンズアレイ２２は、主走査方向に並ぶ複数のロッドレンズ２２ａ、および複数のロッドレンズ２２ａを囲んで支持するレンズホルダ２２ｂからなり、発光部２１の上方に位置している。ロッドレンズ２２ａは、ケース１の開口１４を介して最下層の感光フィルム４と間を隔てて対向している。レンズホルダ２２ｂの下端は、段部２４ｃに当接している。
【００２９】
補助部材２３は、フレーム２４とは別体に形成されており、その下端部はフレーム２４の凹部２４ｂに嵌入している。この補助部材２３の一部分は、フレーム２４の上面部から感光フィルム４に向けて突出した突起２３ａとなっている。補助部材２３は、ロッドレンズアレイ２２を挟んでケース１の排出口１７とは反対の位置に配されており、ロッドレンズアレイ２２に対して副走査方向ＣＤにオフセットされ、ロッドレンズ２２ａに隣接している。この補助部材２３の下端は、レンズホルダ２２ｂの上面に当接している。この突起２３ａは、図４Ｂに示すように、主走査方向ＡＢに延びており、その先端部には切欠き部２３ｂが形成されている。この切欠き部２３ｂは、後述するように、突起２３ａと空気抜き部４７（図３参照）との干渉を回避するためのものである。突起２３ａの主走査方向の寸法は、ケース１の開口１４内に突起２３ａを進入させることができるように開口１４の主走査方向の寸法よりも小さく、かつ感光フィルム４の画像記録領域４１ａにおける主走査方向の寸法以上である。突起２３ａは、この突起２３ａが感光フィルム４に当接した状態において、ロッドレンズ２２ａの焦点が感光層４１上に合う高さとされている。
【００３０】
シャッタ部２５は、撮影した被写体の画像データに応じて、発光部２１から発せられた光を選択的に透過させるためのものであり、たとえば液晶パネルを含んで構成されている。このシャッタ部２５を通過した光は、ロッドレンズ２２ａにより感光フィルム４上に集束されることになる。
【００３１】
筐体３は、図１に示すように、この筐体３に連結している蓋３１により開閉自在な開口部３２を有しており、この開口部３２を介して、当該筐体３の内外にケース１を出し入れすることが可能な構成となっている。蓋３１は、ケース１の一対の開口１２に嵌入することにより、ケース１の固定を図るための一対の凸部３３を有している。筐体３の一端壁３４は、露光および現像処理が行われた感光フィルム４を筐体３の外部に排出するための排出口３５を有している。
【００３２】
筐体３の内部には、図２に示すように、一対のプラテンローラ６と、プッシュバー７とが設けられている。一対のプラテンローラ６は、感光フィルム４をケース１の内部から引き出しつつ搬送し、排出口３５（図１参照）を介して筐体３の外部に排出するためのものである。また、一対のプラテンローラ６は、感光フィルム４を搬送する際に、感光フィルム４の現像液パック４５に押圧力を作用させて、この現像液パック４５から現像液を感光層４１と透明カバー４３との間に押し出し、画像記録領域４１ａの全域に展開させる役割も果たす。
【００３３】
プッシュバー７は、ケース１の切欠き１９を介して、副走査方向ＣＤへ移動可能であり、排出口１７を介して感光フィルム４をケース１の外部に押し出すためのものである。
【００３４】
画像形成装置Ｘはさらに、イメージセンサモジュール（図示せず）と、制御部（図示せず）とを備えている。上記イメージセンサモジュールは、被写体を撮影するためのものであり、撮影した被写体の画像データを出力可能である。上記制御部は、プリントヘッド２や上記イメージセンサモジュールなどの駆動制御および各種のデータ処理を行うためのものであり、たとえばプリント配線基板上にＣＰＵや各種のメモリのチップを搭載することによって構成されている。
【００３５】
次に、画像形成装置Ｘの作用について説明する。
【００３６】
まず、上記イメージセンサモジュールを利用することにより、被写体を撮影する。この被写体の画像データは、上記制御部に記憶される。その後、上記制御部の制御によりプリントヘッド２を副走査方向ＣＤに移動させて、感光フィルム４の画像記録領域４１ａを露光する。これにより、上記被写体の潜像が画像記録領域４１ａの感光層４１に形成される。
【００３７】
次いで、上記制御部の制御により、プッシュバー７および一対のプラテンローラ６を駆動させる。プッシュバー７によって、感光フィルム４はケース１の排出口１７を介してケース１の外部に押し出される。その後、感光フィルム４は、一対のプラテンローラ６の間に送り込まれ、当該プラテンローラ６の駆動により、排出口３５を介して筐体３の外部に排出される。
【００３８】
上記した排出過程において、感光フィルム４が一対のプラテンローラ６によって挟圧されると、現像液パック４５内から現像液が押し出される。その後、この現像液は、感光層４１と透明カバー４３との間に進入し、感光フィルム４の他端部４ｂに向かって広がっていく。余剰現像液は、トラップ材４６によって捕捉される。このようにして、上記した潜像の現像処理を行うことにより、上記被写体像が感光フィルム４の画像記録領域４１ａに適切に形成され、透明カバー４２を介して外部から視認可能となる。感光層４１と透明カバー４３との間に空気がたまっている場合においても、感光フィルム４が一対のプラテンローラ６によって挟圧されると、上記空気は感光フィルム４の空気抜き部４７から徐々に抜けていく。このため、上記現像液は上記空気によって阻害されることなく感光層４１上を広がっていき、上記した現像処理はスムーズに行なわれることとなる。
【００３９】
本実施形態に係る画像形成装置Ｘは、露光時におけるプリントヘッド２の移動が補助部材２３の突起２３ａと感光フィルム４とを接触させた状態で行われる。そのため、画像形成装置Ｘは、感光フィルム４にうねりが生じている場合においても、そのうねりを矯正して感光フィルム４とロッドレンズ２２ａとの間隔を一定に保つことができる。
【００４０】
突起２３ａの主走査方向の寸法は、感光フィルム４の画像記録領域４１ａにおける主走査方向の寸法以上であるため、画像記録領域４１ａの全域にわたって感光フィルム４のうねりを矯正することができる。したがって、ロッドレンズ２２ａから感光フィルム４までの距離が一定となって、感光フィルム４の画像記録領域４１ａ上にロッドレンズ２２ａの焦点が合い、鮮明な画像を画像記録領域４１ａに形成することができる。特に、画像記録領域４１ａに対する露光は、突起２３ａの近傍において感光フィルム４のうねりが矯正された直後になされるために、画像記録領域４１ａにロッドレンズ２２ａの焦点をより正確に合わせることが可能となる。
【００４１】
補助部材２３は、レンズホルダ２２ｂの上端に当接していることにより、ロッドレンズアレイ２２をフレーム２４に対して位置決め固定させている。したがって、ロッドレンズアレイ２２を固定させるための手段として、補助部材２３とは別の専用部材を用いる必要がない。
【００４２】
画像形成装置Ｘにおいては、補助部材２３の突起２３ａがケース１の開口１４内に進入しているため、プリントヘッド２が副走査方向Ｄに移動すると、図５Ａの符号Ｎ１に示すように、突起２３ａがケース１の開口周縁部１４ｂに当接する。このような当接があると、ロッドレンズ２２ａを副走査方向Ｄにそれ以上移動させることができない。しかし、補助部材２３の幅Ｗは、小さくすることが可能であり、このことによりロッドレンズ２２ａを開口周縁部１４ｂに接近させて、画像記録領域４１ａの端部領域に対して適切に露光を行うことができる。感光フィルム４は、ケース１の側壁１６に当接することにより副走査方向Ｄ寄りに一定量以上位置ずれすることはないため、この感光フィルム４の副走査方向Ｄ寄りへの位置ずれに起因して画像記録領域４１ａへの露光が困難となることはない。
【００４３】
プリントヘッド２が副走査方向Ｃに移動したときには、ケース１の開口周縁部１４ａに突起２３ａを当接させることなく、ロッドレンズ２２ａを開口周縁部１４ａに接近させることができる。そのため、図５Ｂに示すように、感光フィルム４が排出口１７に進入する方向に比較的大きく位置ずれする場合においても、ロッドレンズ２２ａを開口周縁部１４ａの略直下に配することができる。したがって、画像形成装置Ｘは、画像記録領域４１ａにおける開口周縁部１４ａ寄りの部分に対しても、画像プリントをより適切に行なうことが可能となる。
【００４４】
突起２３ａには、切欠き部２３ｂが設けられており、この突起２３ａと空気抜き部４７との干渉が回避されている。そのため、プリントヘッド２が空気抜き部４７に干渉することに起因して、その移動が制限されることはない。
【００４５】
以上、本発明の具体的な実施形態について説明したが、本発明はこれに限定されるものではなく、発明の思想から逸脱しない範囲内で種々の変更が可能である。
【００４６】
たとえば、プリントヘッド２については、図６に示すように、補助部材２３に代えて、ロッドレンズアレイ２２の光出射面を覆う透明部材２６を備え、かつこの透明部材２６によって突起２３ａが形成された構成としてもよい。このような構成によると、ロッドレンズ２２ａの保護も図ることが可能となる。また、透明部材２６をロッドレンズアレイ２２のレンズホルダ２２ｂに当接させると、上述した実施形態と同様に、ロッドレンズアレイ２２の位置決め固定を合理的に図ることができる。突起２３ａは、フレーム２４とは別体の部材を利用して設けるのではなく、フレーム２４に一体的に設けるようにしてもよい。突起を設けるための補助部材および透明部材は、１つの部材から構成されたものに限定されず、複数の部材により構成することもできる。
【００４７】
ロッドレンズアレイ２２は、その全体がフレーム２４のスリット２４ａに嵌入されることに限定されず、その一部分がフレーム２４の表面から突出するように配されてもよい。このような構成によると、フレーム２４をより小型にすることができ、製造コストの低減化を図ることが可能となる。レンズは、ロッドレンズに限定されない。
【図面の簡単な説明】
【００４８】
【図１】本発明に係る画像形成装置の一例を示す分解斜視図である。
【図２】図１に示す画像形成装置の要部断面斜視図である。
【図３】図１に示す画像形成装置において用いられている感光フィルムの断面図である。
【図４】図１に示す画像形成装置において用いられているプリントヘッドを示す図であり、（ａ）は概略断面図、（ｂ）は要部正面図である。
【図５】（ａ），（ｂ）ともに図１に示す画像形成装置において用いられているプリントヘッドの作用説明図である。
【図６】本発明に係る画像形成装置の他の例を示す要部断面図である。
【符号の説明】
【００４９】
Ｘ    画像形成装置
１    ケース
２    プリントヘッド
３    筐体
４    感光フィルム
１４    （露光用の）開口
１５，１６    （一対の）側壁
１７    排出口
２２    ロッドレンズアレイ
２２ａ  ロッドレンズ
２２ｂ  レンズホルダ
２３    突起
２３ａ  切欠き部
４１    感光層
４１ａ  画像記録領域
４７    空気抜き部
【図１】
2004276607.tif 000003
【図２】
2004276607.tif 000004
【図３】
2004276607.tif 000005
【図４】
2004276607.tif 000006
【図５】
2004276607.tif 000007
【図６】
2004276607.tif 000008